(57)【特許請求の範囲】
【請求項１】
ハンドルを挟むように、ハンドル下方の前後２カ所に、第１の端子部を形成すると共に、一方の第１の端子部の上下方向に異なる位置に、第２の端子部を形成し、前記ハンドルの操作で前記第２の端子部と電気的に接続された可動接触子を前後の第１の端子部側に動作させる構造を有する切替開閉器であって、前記前後２カ所の第１の端子部を、筐体上面から見て、筐体を幅方向（Ｗ）で２分する幅方向中央線（Ｙ）を挟んで反対位置に配置するとともに、前記第２の端子部を、近接する前記第１の端子部と前記ハンドルとの間に位置するように、かつ、前記切替開閉器を構成する筐体の幅方向で、近接する前記第１の端子部からずらした位置に配置し、さらに前記第１の端子部から延びる固定接触子をストレートに形成し、それぞれの先端を下方に屈曲させて固定接点を設けたことを特徴とする切替開閉器。
【請求項２】
前記第２の端子部を、遠方の第１の端子部とともに前記幅方向中央線（Ｙ）の片側に配置し、近接する前記第１の端子部を前記幅方向中央線（Ｙ）の反対側に配置したことを特徴とする請求項１に記載の切替開閉器。
【請求項３】
前記第１の端子部と前記第２の端子部を、その筐体幅方向の中央寄りの端部が、前記幅方向中央線（Ｙ）を跨ぐ位置に配置したことを特徴とする請求項１または２に記載の切替開閉器。
【発明の詳細な説明】
【技術分野】
【０００１】
本発明は、切替開閉器に関するものである。
【背景技術】
【０００２】
ハンドルを操作することにより出力端子をいずれかの側に切り換える切替開閉器に関し、ハンドルを挟むように、ハンドル下方の前後２カ所に、出力端子部を形成すると共に、一方の出力端子の上方に、入力端子部を形成し、ハンドルの前後の下端に、各々、軸支部を介して、前後の可動接触子の上端部を嵌め込み、各可動接触子の中間位置とハンドルの軸との間に中立点を越えた瞬間に可動接触子を反転させる反転ばねをそれぞれ張設して、ハンドルの操作方向の可動接触子を前後の固定接点側に動作させる構造が開示されている（特許文献１）。
【０００３】
特許文献１では、その図２に示されるように、前後２カ所の出力端子部は筐体を幅方向で２分する幅方向中央線の同一側に配置されている。また、上記した前後の可動接触子はハンドルの両側、すなわち幅方向中央線の両側に配置されており、可動接点及び固定接点も幅方向中央線の両側に配置されることとなる。
【０００４】
このため、一方の出力端子部から延びる固定接触子はストレートに形成することができるが、他方の出力端子部から延びる固定接触子は筐体の幅方向に屈曲させ、幅方向中央線を跨いで反対側に固定接点を設けねばならず、内部構造がアンバランスとなる問題があった。
【先行技術文献】
【特許文献】
【０００５】
【特許文献１】特許３７５０９８１号公報
【発明の概要】
【発明が解決しようとする課題】
【０００６】
本発明の目的は前記の問題を解決し、ハンドルを挟むように、ハンドル下方の前後２カ所に、出力端子部を形成すると共に、一方の出力端子の上方に、入力端子部を形成し、前記ハンドルの操作で、前記入力端子部と電気的に接続された可動接触子を前後の固定接点側に動作させる構造を有する切替開閉器において、切替開閉器の内部構造のアンバランスを改善する技術を提供することである。
【課題を解決するための手段】
【０００７】
上記課題を解決するためになされた本発明の切替開閉器は、ハンドルを挟むように、ハンドル下方の前後２カ所に、第１の端子部を形成すると共に、一方の第１の端子部の上下方向に異なる位置に、第２の端子部を形成し、前記ハンドルの操作で前記第２の端子部と電気的に接続された可動接触子を前後の第１の端子部側に動作させる構造を有する切替開閉器であって、前記前後２カ所の第１の端子部を、筐体上面から見て、筐体を幅方向（Ｗ）で２分する幅方向中央線（Ｙ）を挟んで反対位置に配置するとともに、前記第２の端子部を、近接する前記第１の端子部と前記ハンドルとの間に位置するように、かつ、前記切替開閉器を構成する筐体の幅方向で、近接する前記第１の端子部からずらした位置に配置し、さらに前記第１の端子部から延びる固定接触子をストレートに形成し、それぞれの先端を下方に屈曲させて固定接点を設けたことを特徴とするものである。
【０００８】
請求項２記載の発明は、前記第２の端子部を、遠方の第１の端子部とともに前記幅方向中央線（Ｙ）の片側に配置し、近接する前記第１の端子部を前記幅方向中央線（Ｙ）の反対側に配置したことを特徴とするものである。
【０００９】
請求項３記載の発明は、請求項２記載の切替開閉器において、前記第１の端子部と前記第２の端子部を、その筐体幅方向の中央寄りの端部が、前記幅方向中央線（Ｙ）を跨ぐ位置に配置したことを特徴とするものである。
【発明の効果】
【００１０】
本発明に係る切替開閉器では、ハンドルを挟むように、ハンドル下方の前後２カ所に、第１の端子部を形成すると共に、一方の第１の端子部の上下方向に異なる位置に、第２の端子部を形成し、前記ハンドルの操作で前記第２の端子部と電気的に接続された可動接触子を前後の第１の端子部側に動作させる構造を有する切替開閉器であって、前記前後２カ所の第１の端子部を、筐体上面から見て、筐体を幅方向（Ｗ）で２分する幅方向中央線（Ｙ）を挟んで反対位置に配置するとともに、前記第２の端子部を、近接する前記第１の端子部と前記ハンドルとの間に位置するように、かつ、前記切替開閉器を構成する筐体の幅方向で、近接する前記第１の端子部からずらした位置に配置しているため、両方の出力端子部から延びる固定接触子をストレートに形成することができ、従来技術のようなアンバランスを解消することができる。
【図面の簡単な説明】
【００１１】
【図１】下記の実施形態に係る切替開閉器の垂直断面図である。
【図２】ハンドルを右側に倒した状態の動作説明図である。
【図３】下記の実施形態に係る切替開閉器のハンドル上方から見た説明図である。
【図４】下記の実施形態に係る切替開閉器の全体斜視図である。
【図５】図４の分解説明図である。
【発明を実施するための形態】
【００１２】
以下に本発明の好ましい実施形態を示す。
【００１３】
図１に示すように、本実施形態の切替開閉器は、ハンドル１を挟むように、ハンドル１下方の前後２カ所に、第１の端子部となる出力端子部２，３を形成すると共に、一方の出力端子部２の上下方向に異なる位置に、第２の端子部となる入力端子部４を形成し、ハンドル１の前後の下端に、各々、軸支部５を介して、前後の可動接触子６，７の上端部を嵌め込み、各可動接触子６，７の中間位置とハンドル１の軸８との間に中立点を越えた瞬間に可動接触子６，７を反転させる反転ばね５０をそれぞれ張設して、ハンドル１の操作方向の可動接触子６，７を前後の固定接点９，１０側に動作させる構造を有する。入力端子部４と可動接触子６，７は、可撓導線２５を介して電気的に接続されている。なお、本明細書においては、図１の紙面左右方向を「前後方向」あるいは「筐体の長手方向」、図１の紙面上下方向を「上下方向」、図３の紙面左右方向を「左右方向」あるいは「筐体の幅方向」と呼ぶ。
【００１４】
なお、図３に示されるようにハンドル１は筐体を幅方向（Ｗ）で２分する幅方向中央線（Ｙ）の上にあり、前後の可動接触子６，７はこのハンドル１の両側、すなわち幅方向中央線（Ｙ）の両側にそれぞれ配置されている。
【００１５】
本実施形態の切替開閉器は、ハンドル１の位置を、図１に示すように、中立位置で停止させることも可能である。ハンドル１が中立位置にある場合には、前後の可動接触子６，７の下部に設けた可動接点１７,１８は、何れも、前後の固定接点９，１０から離れたオフ位置にある。図２に示すように、中立状態からハンドル１を前方向に倒して行くと、軸８と軸支部５と反転ばね５０の下端とが一直線になった中立点を越えた瞬間に反転ばね５０の力によって、前側の可動接触子７が外側にくの字状に引かれ可動接点１８が固定接点１０と接触する。この状態で、後側の可動接触子６は、ケース１２，１３に形成された移動規制部２７に当接して移動が妨げられて、オフ位置に留められる。なお、固定接点９，１０は図１に示されるように、固定接触子２１の先端を屈曲させた位置に設けられている。
【００１６】
出力端子部２，３は、出力端子ねじ１９、２０と、固定接点９，１０と、固定接触子２１から構成され、筐体１１の上面から見て筐体を幅方向（Ｗ）で２分する幅方向中央線（Ｙ）を挟んで反対位置に配置されている。このため固定接点９，１０は前記した幅方向中央線（Ｙ）の両側にそれぞれ配置されることとなり、固定接触子２１を筐体の幅方向に屈曲させなくても、固定接点９，１０を可動接点１７,１８に正対させることができる。これにより、従来の切替開閉器において問題となっていた「アンバランス」を改善することができる。
【００１７】
入力端子部４は、図１に示すように、出力端子部２とハンドル１の回転軸である軸８と直交する軸（Ｘ）との間に位置するように配置され、かつ、図３に示すように、切替開閉器を構成する筐体１１の幅方向（Ｗ）で、出力端子部２からずらした位置に配置されている。当該構造とすることにより、入力端子部４と近接する出力端子部２の位置を、筐体１１の幅方向（Ｗ）に近接しても、各々の端子部間の絶縁距離を確保することができる。
【００１８】
本実施形態では、前記のように、入力端子部４を、筐体１１の幅方向（Ｗ）で、出力端子部２からずらした位置に配置するとともに、入力端子部４と出力端子部２を、筐体１１の幅方向（Ｗ）で一部重複させて、筐体１１のコンパクト化を図っている。絶縁距離確保の観点から、この重複する部分には、図３、図４に示すように、突起部３０や溝などを設けることが好ましい。
【００１９】
筐体１１のコンパクト化を図るために、本実施形態では、上記構造の他、入力端子部４と出力端子部２，３を、図３に示すように、その筐体１１幅方向の中央寄りの端部が、筐体１１を幅方向（Ｗ）で２分する幅方向中央線（Ｙ）を跨ぐ位置に配置する構造、および、図２に示すように、入力端子ねじ２２及び出力端子ねじ１９、２０の端部のうち、筐体１１長手方向の中央寄り（すなわち、対称軸（Ｘ）寄り）の端部が、ハンドル１の上方から見た際、ハンドル１が収容される筐体本体部２６と重なるように、筐体本体部２６にオーバーハングさせて配置されるよう、筐体本体部２６に、前記各端子ねじの筐体１１長手方向の中央寄りの端部を収容する凹部２６ａを形成する構造を、合わせて採用している。
【００２０】
図４、図５に示すように、切替開閉器を構成する筐体１１は、左右のケース１２，１３を突き合わせて構成され、筐体１１の幅方向を貫くように、リベットまたは固定ネジ１４を挿入して係合固定されている。左右のケース１２，１３を突き合わせて構成された筐体１１内には、入力端子部４から１本の電線のみが配線されて、１極型の切替開閉器として使用されるが、複数の筐体１１を連結して、複数極の切替開閉器を構成することもできる。複数の筐体１１を連結する際は、リベットまたは固定ネジ１４を、全てのケースを貫通させて、係合固定が行われる。また、入力端子部４及び出力端子部２，３の端子ねじ１９，２０，２２の露出を防止する端子カバー７０を形成し、本実施形態においては切替開閉器及び隣接する切替開閉器の端子部に渡って形成している。
【００２１】
複数の筐体１１を連結する際に、隣接する筐体１１の位置合わせを容易とするために、図４，図５に示すように、筐体１１の長手方向側面には、複数の筐体１１を連結するための位置合わせの案内部となる凹凸部１５が形成され、隣接する筐体１１の他方の側面には前記凹凸部１５に対応する凸凹部１６が形成されている。当前記構造によれば、隣接する筐体１１のうち、一方の凹凸部１５と、他方の凸凹部１６をはめ合わせて、簡単に位置合わせを行うことができる。
【００２２】
図３、図４に示すように、筐体１１長手方向の端部には、筐体１１側面側に向かって開いた円弧の取付溝２３が形成され、隣接して筐体１１を配置した場合、対峙する取付溝２３間に、略円状の取付孔２４が形成される構造としている。当前記構造によれば、前記取付孔２４に取付ねじを挿入することにより、隣接する筐体１１を同時に固定することができる。開閉器を取付板に固定する際、１つの筐体１１に円状の取付孔２４を形成する場合には、円状の取付孔２４のスペースを形成する必要があり、筐体１１のサイズが大型になる問題や、各々で開閉器を固定するという作業性に問題が生じる。本実施形態のように半円状に形成した取付溝２３とすることにより、サイズが大型になる問題や、１度の固定で２台の開閉器を固定可能とし作業性の問題を解決するものである。なお、取付溝２３は入力端子部４の左右に形成し、左右の取付溝２３の形状は異なるように形成している。このため、入力端子部４は小さい取付溝２３側に片寄らせて形成することが出来るので、幅狭とした筐体１１においても、出力端子部２間の絶縁距離を確保することが可能である。
【００２３】
また、左右のケース１２，１３には、図１、図２などに示すように、開口方向に向かって複数の隔壁部４０を形成し、上下に配置された入力端子部４と出力端子部２を区分けして絶縁距離を確保するようにしている。これらの隔壁部４０に、固定接触子２１を保持する機能を持たせることもできる。
【００２４】
本実施形態においては、前後２ヵ所の第１の端子部を出力端子部２，３として、第１の端子部の上下方向に異なる位置に形成した第２の端子部を入力端子部４として形成し、出力方向を変更して使用することについて説明したものであるが、他の実施形態として、前後２ヵ所の第１の端子部を入力端子部として、第２の端子部を出力端子部として形成し、入力方向を変更して使用するものであっても良い。
【符号の説明】
【００２５】
１  ハンドル
２，３  出力端子部
４  入力端子部
５  軸支部
６，７  可動接触子
８  軸
９，１０  固定接点
１１  筐体
１２，１３  ケース
１４  リベットまたは固定ネジ
１５  凹凸部
１６  凸凹部
１７, １８  可動接点
１９, ２０  出力端子ねじ
２１  固定接触子
２２  入力端子ねじ
２３  取付溝
２４  取付孔
２５  可撓導線
２６  筐体本体部
２６ａ  凹部
２７  移動規制部
３０  突起部
４０  隔壁部
５０  反転ばね
７０  端子カバー
【図１】
0006429846.tif 000002
【図２】
0006429846.tif 000003
【図３】
0006429846.tif 000004
【図４】
0006429846.tif 000005
【図５】
0006429846.tif 000006